(57)【要約】【課題】マガジン再挿入後も取り出されたマガジンの各スロットの記録媒体の有無情報や種別情報等の読取り時間を短縮することができるマガジン式記録媒体チェンジャ装置を提供する。【解決手段】マガジン１のディスクが載置されたトレーが挿入される複数のスロット１１にディスクの有無を検出する複数のセンサ１２が設けられ、このセンサ１２からのディスク有無情報が送信機１４によりＣＤチェンジャ装置本体に送信される。従って、マガジン内の各ディスクの抜き取り／挿入情報をＣＤチェンジャ装置本体に無線送信することができ、ＣＤチェンジャ装置本体内に保存しているマガジン内の各ＣＤのディスク情報をＣＤの抜き取りに応じて保存または消去することができる。【選択図】        図２
2005032355.tif 000002
【特許請求の範囲】
【請求項１】
マガジンに収納された記録媒体を逐次交換して記録媒体再生部に装着するマガジン式記録媒体チェンジャ装置において、
マガジン内の記録媒体の有無情報を記憶する記憶手段と、
上記記憶手段の記憶、消去動作を制御する制御手段とを備え、
上記記憶手段がマガジン排出後も排出されたマガジン内のディスクの有無情報を記憶していることを特徴とするマガジン式記録媒体チェンジャ装置。
【請求項２】
マガジンに収納された記録媒体を逐次交換して記録媒体再生部に装着するマガジン式記録媒体チェンジャ装置において、
マガジン内の各記録媒体の種別を記憶する記憶手段と、
上記記憶手段の記憶、消去動作を制御する制御手段とを備え、
上記記憶手段がマガジン排出後も排出されたマガジン内の各記録媒体の種別を記憶していることを特徴とするマガジン式記録媒体チェンジャ装置。
【請求項３】
マガジンに収納された記録媒体を逐次交換して記録媒体再生部に装着するマガジン式記録媒体チェンジャ装置において、
マガジン内の各記録媒体のＴＯＣ情報を記憶する記憶手段と、
上記記憶手段の記憶、消去動作を制御する制御手段とを備え、
上記記憶手段がマガジン排出後も排出されたマガジン内の各記録媒体のＴＯＣ情報を記憶していることを特徴とするマガジン式記録媒体チェンジャ装置。
【請求項４】
マガジンに収納された記録媒体を逐次交換して記録媒体再生部に装着するマガジン式記録媒体チェンジャ装置において、
マガジン内の各記録媒体の記録媒体−ＴＥＸＴ情報を記憶する記憶手段と、
上記記憶手段の記憶、消去動作を制御する制御手段とを備え、
上記記憶手段がマガジン排出後も排出されたマガジン内の各記録媒体の記録媒体−ＴＥＸＴ情報を記憶していることを特徴とするマガジン式記録媒体チェンジャ装置。
【請求項５】
上記請求項１〜請求項４のいずれかに記載されたマガジン式記録媒体チェンジャ装置において、
上記マガジンがマガジン内の各記録媒体の有無を検知する複数のセンサと上記センサからの記録媒体有無情報を送信する情報送信手段とを備え、
マガジン排出後、記録媒体が抜き取られた時点で、上記制御手段が上記情報送信手段からの記録媒体有無情報に基づいて抜き取られた記録媒体のディスク情報を消去することを特徴とするマガジン式記録媒体チェンジャ装置。
【請求項６】
上記請求項１〜請求項４のいずれかに記載されたマガジン式記録媒体チェンジャ装置において、
上記制御手段が、マガジン排出から一定時間経過後にそのマガジン内の各記録媒体のディスク情報を消去することを特徴とするマガジン式記録媒体チェンジャ装置。
【請求項７】
上記請求項１〜請求項４のいずれかに記載されたマガジン式記録媒体チェンジャ装置において、
ディスク情報のマガジン排出後の消去条件を設定する手段を備えたことを特徴とするマガジン式記録媒体チェンジャ装置。
【請求項８】
上記請求項１〜請求項４のいずれかに記載されたマガジン式記録媒体チェンジャ装置において、
上記制御手段がマガジン内の各記録媒体のディスク情報を表示部に表示することを特徴とするマガジン式記録媒体チェンジャ装置。
【請求項９】
上記マガジン内の各記録媒体のディスク情報の表示部への表示の可否を設定する手段を備えたことを特徴とする請求項８に記載のマガジン式記録媒体チェンジャ装置。
【請求項１０】
表示部に表示するディスク情報を設定する手段を備えたことを特徴とする請求項８に記載のマガジン式記録媒体チェンジャ装置。
【請求項１１】
マガジンに収納された記録媒体を逐次交換して記録媒体再生部に装填するマガジン式記録媒体チェンジャ装置に用いられるマガジンであって、
マガジン内の各記録媒体の有無を検知する複数のセンサと、
上記センサからの記録媒体有無情報を送信する情報送信手段とを備えたことを特徴とするマガジン。
【発明の詳細な説明】
【０００１】
【発明の属する技術分野】
本発明は、複数枚のコンパクトディスク（以下、ＣＤという）等の記録媒体をマガジンに収納し、その中から任意の記録媒体を選択して再生及びデータ読取りを行うマガジン式記録媒体チェンジャ装置及びそれに使用するマガジンに関する。
【０００２】
【従来の技術】
従来から、複数枚のＣＤをマガジンに収納し、マガジンごとＣＤチェンジャ装置本体内に装填して、ＣＤに記録されている音楽情報やＣＤ−ＲＯＭに記録されている地図情報などを読み出すオートチェンジャ機能を備えたオーディオ装置やナビゲーション装置が車載用として広く用いられている。このような車載用の再生装置では、車室内で操作可能に取り付ける機器の大きさに制限があり、あまり多くの枚数を収納することはできない。また、ＣＤを収納して交換するための機構部分は、トランク室など、車室から離れた位置に設置し、車室内では操作パネル等の最低限必要な部分のみを配置し、操作パネル上のキーを操作することによって、所望のＣＤを選択し、再生するようにしている。
【０００３】
一方、ＣＤにはプログラム領域に音楽信号あるいは地図情報信号等がトラック別にデジタル記録されるとともに、リードイン領域に各トラックの位置を示す情報等のＴＯＣ（Ｔａｂｌｅ  Ｏｆ  Ｃｏｎｔｅｎｔｓ）情報が記録されている。ＣＤを再生する際には、最初にこのＴＯＣ情報を読み取っておき、ダイレクト選曲再生、１曲送り再生、１曲戻し再生を行う際、ＴＯＣ情報中の所望トラック位置を目標に制御するようにしている。
【０００４】
このＴＯＣ情報は、ＣＤの最内周に設けられたリードイン領域でのサブコードのＱデータに記録されており、音楽ＣＤでは、ディスク内の先頭曲の開始時間、先頭曲番、最終曲番、最終曲の終了時間等が記録されている。また、このＱデータの内容から音楽ディスク、地図等のデータディスク等の記録情報内容の種別も得ることができる。
また、ＣＤの一種にＣＤ−ＴＥＸＴがあるが、ＣＤ−ＴＥＸＴではリードイン領域の管理情報に通常のＴＯＣ情報の外、ディスクタイトル、演奏者、作曲者、作詞者、曲名等のディスク案内情報が含まれており、管理情報中のディスク種別情報によりＣＤ−ＴＥＸＴであるかないかが判るようになっている。
【０００５】
そして、従来のマガジン式ＣＤチェンジャ装置では、マガジンがＣＤチェンジャ装置本体に装填された時、マガジン内のすべてのＣＤをＣＤ再生部にセットし、ＴＯＣデータを読み出してディスクの種別を判定するとともに、マガジンの各スロットのＣＤの有無、種別、ＴＯＣ情報、ＣＤ−ＴＥＸＴ情報をメモリに記憶している。このＣＤチェンジャ装置本体に記憶していたマガジン内のＣＤのディスク情報は、マガジンイジェクト起動時、またはマガジン排出完了時に消去するようにしていた。
【０００６】
【発明が解決しようとする課題】
従来のマガジン式ＣＤチェンジャ装置は上記のように、ＣＤチェンジャ装置本体に最初にマガジンを装填した時やマガジンを入れ替えたとき等には、マガジンのいずれのスロットにどのような内容を有するＣＤが入っているかがわからないため、通常の再生やデータ読み出しをする前にすべてのＣＤを個々にＣＤ再生部にセットし、そのデータを読み出して内容を確認し、これをメモリなどに記憶させる初期設定作業が必要であるため、実際に再生できるようになるまでに多くの時間を有するという問題があった。
【０００７】
一方、ＣＤチェンジャ装置本体から排出したマガジン内からディスクを抜き取る場合、所望のＣＤがどのスロットに入っているかがわからないことが多く、ＣＤ入れ替えの度に全ＣＤを抜き出してＣＤをチェックする必要が有り、ＣＤの交換に時間がかかっていた。
また、マガジンを排出し、そのまま再挿入した場合にも、上記のように再生開始前に各ディスク情報（有無、ＴＯＣ情報、ＣＤ−ＴＥＸＴ情報等）を取り直す必要が有り、再生までに時間がかかるという問題もあった。
【０００８】
本発明は、上記の問題に鑑みてなされたもので、マガジンを排出した後でも、マガジン内に収納されている各記録媒体の内容、種別等のディスク情報を容易に認識できるとともに、同一マガジンまたは一部の記録媒体を入れ替えたマガジンをチェンジャ装置本体に再装填した場合に、再生開始までの所要時間を短縮することができるマガジン式記録媒体チェンジャ装置及びそれに使用するマガジンを提供することを目的とする。
【０００９】
【課題を解決するための手段】
上述の目的を達成するため、本発明に係るマガジン式記録媒体チェンジャ装置（１）は、
マガジンに収納された記録媒体を逐次交換して記録媒体再生部に装着するマガジン式記録媒体チェンジャ装置において、
マガジン内の各記録媒体の有無情報を記憶する記憶手段と、
上記記憶手段の記憶、消去動作を制御する制御手段とを備え、
上記記憶手段がマガジン排出後も排出されたマガジン内の各記録媒体の有無情報を記憶していることを特徴とする。
【００１０】
本発明に係るマガジン式記録媒体チェンジャ装置（１）によれば、マガジン排出後も取り出されたマガジンの各スロットの記録媒体有無情報が記憶されているので、取り出したマガジン内の記録媒体交換時に記録媒体を挿入することができる空きスロットを容易に把握することができる。
【００１１】
また、本発明に係るマガジン式記録媒体チェンジャ装置（２）は、マガジンに収納された記録媒体を逐次交換して記録媒体再生部に装着するマガジン式記録媒体チェンジャ装置において、
マガジン内の各記録媒体の種別を記憶する記憶手段と、
上記記憶手段の記憶、消去動作を制御する制御手段とを備え、
上記記憶手段がマガジン排出後も排出されたマガジン内の各記録媒体の種別を記憶していることを特徴とする。
【００１２】
本発明に係るマガジン式記録媒体チェンジャ装置（２）によれば、マガジン排出後も取り出されたマガジン内の各記録媒体の種別が記憶されているので、取り出したマガジン内のディスクが音楽記録媒体かＲＯＭであるかが判り、交換する記録媒体の検索に使用することができ、ディスクの交換が容易となる。
【００１３】
また、本発明に係るマガジン式記録媒体チェンジャ装置（３）は、マガジンに収納された記録媒体を逐次交換して記録媒体再生部に装着するマガジン式記録媒体チェンジャ装置において、
マガジン内の各記録媒体のＴＯＣ情報を記憶する記憶手段と、
上記記憶手段の記憶、消去動作を制御する制御手段とを備え、
上記記憶手段がマガジン排出後も排出されたマガジン内の各記録媒体のＴＯＣ情報を記憶していることを特徴とする。
【００１４】
本発明に係るマガジン式記録媒体チェンジャ装置（３）によれば、マガジン排出後も取り出されたマガジン内の各記録媒体のＴＯＣ情報が記憶されているので、同じマガジンあるいは一部の記録媒体を交換したマガジンを記録媒体チェンジャ装置本体に再装填した場合、ディスクＩＤ等の情報で同じ記録媒体か否かの判別を行い、新たなディスクのみのディスク情報を読み取ればよいので、ＴＯＣ情報等の読取り時間を短縮することができ、再生開始までの時間を短くすることができる。
【００１５】
また、本発明に係るマガジン式記録媒体チェンジャ装置（４）は、マガジンに収納された記録媒体を逐次交換して記録媒体再生部に装着するマガジン式記録媒体チェンジャ装置において、
マガジン内の各記録媒体の記録媒体−ＴＥＸＴ情報を記憶する記憶手段と、
上記記憶手段の記憶、消去動作を制御する制御手段とを備え、
上記記憶手段がマガジン排出後も排出されたマガジン内の各記録媒体の記録媒体−ＴＥＸＴ情報を記憶していることを特徴とする。
【００１６】
本発明に係るマガジン式記録媒体チェンジャ装置（４）によれば、マガジン排出後も取り出されたマガジン内の各記録媒体の記録媒体−ＴＥＸＴ情報が記憶されているので、上記と同様に、同じマガジンあるいは一部のディスクを交換したマガジンを記録媒体チェンジャ装置本体に再装填した場合、ディスクＩＤ等の情報で同じ記録媒体か否かの判別を行い、新たな記録媒体のみのディスク情報を読み取ればよいので、記録媒体−ＴＥＸＴ情報の読取り時間を短縮することができ、再生開始までの時間を短くすることができる。
【００１７】
また、本発明に係るマガジン式記録媒体チェンジャ装置（５）は、マガジン式記録媒体チェンジャ装置（１）から（４）のいずれかにおいて、
上記マガジンがマガジン内の各記録媒体の有無を検知する複数のセンサと上記センサからの記録媒体有無情報を送信する情報送信手段とを備え、
マガジン排出後、記録媒体が抜き取られた時点で、上記制御手段が上記情報送信手段からの記録媒体有無情報に基づいて抜き取られた記録媒体のディスク情報を消去することを特徴とする。
【００１８】
本発明に係るマガジン式記録媒体チェンジャ装置（５）によれば、同じマガジンあるいは一部の記録媒体を交換したマガジンを記録媒体チェンジャ装置本体に再装填した場合、ディスク情報のない記録媒体のみを記録媒体再生部に装着してディスク情報を読み取ればよいので、ディスク情報の読取り時間を短縮あるいはなくすことができ、再生開始までの時間を短くすることができる。
【００１９】
また、本発明に係るマガジン式記録媒体チェンジャ装置（６）は、マガジン式記録媒体チェンジャ装置（１）から（４）のいずれかにおいて、上記制御手段がマガジン排出から一定時間経過後にそのマガジン内の各記録媒体のディスク情報を消去することを特徴とする。このマガジン式記録媒体チェンジャ装置（６）によれば、一定時間はディスク情報が保存されているため、記録媒体交換時に各種のディスク情報を参照することができるので、記録媒体交換が容易になるとともに、不要となったディスク情報が自動的に削除されるので、メモリを有効活用することができる。
【００２０】
また、本発明に係るマガジン式記録媒体チェンジャ装置（７）は、マガジン式記録媒体チェンジャ装置（１）から（４）のいずれかにおいて、マガジン排出後のディスク情報の消去条件を設定する手段を備えたことを特徴とする。このマガジン式記録媒体チェンジャ装置（７）によれば、ユーザの使用態様に応じて、抜き取ったマガジン内の記録媒体のディスク情報の消去条件を選択することができ、最適なディスク情報の消去方法を選択することができる。
【００２１】
また、本発明にかかるマガジン式記録媒体チェンジャ装置（８）は、マガジン式記録媒体チェンジャ装置（１）から（４）のいずれかにおいて、上記制御手段がマガジン内の各記録媒体のディスク情報を表示部に表示することを特徴とする。このマガジン式記録媒体チェンジャ装置（８）によれば、抜き取ったマガジンのディスク情報を表示部で確認することができ、記録媒体チェンジャ装置本体から抜き取ったマガジン内の記録媒体を交換する場合、マガジンの各スロットにどのようなディスクが入っているかを容易に知ることができる。
【００２２】
また、本発明にかかるマガジン式記録媒体チェンジャ装置（９）は、マガジン式記録媒体チェンジャ装置（８）において、上記マガジン内の各記録媒体のディスク情報の表示部への表示の可否を設定する手段を備えたことを特徴とする。このマガジン式記録媒体チェンジャ装置（９）によれば、ユーザがディスク情報の表示部への表示の可否を選択できるので、表示が不要な場合には、通常の表示状態を維持することができる。
【００２３】
また、本発明にかかるマガジン式記録媒体チェンジャ装置（１０）は、マガジン式記録媒体チェンジャ装置（８）において、表示部に表示するディスク情報を設定する手段を備えたことを特徴とする。このマガジン式記録媒体チェンジャ装置（１０）によれば、表示部の表示内容をディスク有無情報、ディスク種別情報、ＴＥＸＴ情報等から選択でき、目的に応じて、最適なディスク検索を行うことができる。
【００２４】
一方、本発明にかかるマガジン（１）は、マガジンに収納された記録媒体を逐次交換して記録媒体再生部に装着するマガジン式記録媒体チェンジャ装置に用いられるマガジンであって、マガジン内の各記録媒体の有無を検知する複数のセンサと、上記センサからの記録媒体有無情報を送信する情報送信手段とを備えたことを特徴とする。このマガジン（１）によれば、マガジンと記録媒体チェンジャ装置本体とをリード線等で接続することなしに、マガジン内の各記録媒体の抜き取り／挿入情報を記録媒体チェンジャ装置本体に送信することができ、記録媒体チェンジャ装置本体内に保存している各記録媒体のディスク情報を記録媒体の有無状態に応じて保存または消去することができる。
【００２５】
【発明の実施の形態】
以下、本発明のマガジン式記録媒体チェンジャ装置をマガジン式ＣＤチェンジャ装置に適用した実施の形態について、図面を用いて説明する。図１は本発明のマガジン式ＣＤチェンジャ装置の全体構成を示す概略図、図２はマガジンの構成を示すブロック図、図３はマガジンのトレー及びディスクの有無検出手段を示す図、図４はＣＤチェンジャ装置本体の構成を示すブロック図、図５はＣＤチェンジャ装置本体のディスク情報管理機能を実行する各部を示す機能ブロック図である。
【００２６】
図１に示すように、マガジン式ＣＤチェンジャ装置はマガジン１とＣＤチェンジャ装置本体２と操作・表示部３とから構成され、マガジン１が装填されたＣＤチェンジャ装置本体２は車両のダッシュボードやトランク内に配設され、再生を所望するディスクの選択操作等を行う、操作・表示部３は、車両内の運転席の前面のパネルに配設され、ＣＤチェンジャ装置用、カセットテーププレーヤ用及びＡＭ／ＦＭラジオ用等に兼用されるものである。再生するディスクは、ディスクを収納するマガジンのスロットに割り当てられた番号を操作・表示部３からキー入力して指定し、再生中のＣＤは、操作・表示部３に設けられた表示部にマガジンのスロット番号とトラック番号で表示される。
【００２７】
一方、マガジン１は図２のブロック図に示すように、ディスクが載置されるトレーが挿入される複数のスロット１１と、それぞれのスロット１１に設けられ、各スロット１１内に挿入されたトレーに載置されるディスクの有無を検出する複数のセンサ１２と、センサ１２の出力が入力されるＣＰＵ１３と、センサ１２のディスク有無情報をＣＤチェンジャ装置本体２に送信する無線送信機１４とから構成されている。
【００２８】
図３はディスク４が載置されるトレー１５とディスクの有無を検出するディスク有無検出部の構造を示す図であり、薄板状のトレー１５の上にディスク４が載置され、このトレー１５がマガジン１のスロット１１に挿入される。一方、このトレー１５の下面の一部には開口が設けられており、マガジン１内のこの開口に対応した位置に光ファイバー１６の一端が配設され、この光ファイバー１６の他端が光学式センサ１２に接続されている。この光学式センサ１２が光ファイバー１６に光を送信し、反射光の有無を検出することにより、ディスク４の有無を検出する。
そして、スロット１１に挿入されたトレー１５にディスク４が載置されていない場合、及びスロット１１からトレー１５が抜き取られた場合には、センサ１２が「ディスク無」の信号をＣＰＵ１３に送り、ＣＰＵ１３が送信機１４を介してこの情報をＣＤチェンジャ装置本体２に送るので、マガジン１とＣＤチェンジャ装置本体２とをリード線等で接続することなしに、マガジン内の各ディスクの抜き取り／挿入情報をＣＤチェンジャ装置本体２に送信することができる。
【００２９】
また、ＣＤチェンジャ装置本体２は、図４のブロック図に示すように、ＣＰＵ２１、ＲＯＭ２２、ＲＡＭ２３、ＣＤ交換部２４、ＣＤ再生部２５、受信機２６よりなり、ＣＰＵ２１は、ＣＤチェンジャ装置本体２のハードウェア各部を制御するとともに、ＲＯＭ２２に記憶されたプログラムに基づいて各種のプログラムを実行する。ＲＡＭ１３はＳＲＡＭ等で構成され、マガジン１に収納されたディスクのディスク情報を記憶するとともに、プログラムの実行時に発生する一時的なデータを記憶する。
【００３０】
ＣＤ交換部２４はマガジン１から所望のディスクを取り出してＣＤ再生部２５にセットしたり、ＣＤ再生部２５にセットされたディスクをマガジン１の元の収納場所に戻したりする。また、ＣＤ再生部２５はディスクのリードイン領域に記憶された管理情報を読み取ったり、プログラム領域に記録された情報を再生し、無線受信機２６はマガジン１の無線送信機１４からのディスク有無情報を受信して、ＣＰＵ２１に入力する。
【００３１】
図５はＣＤチェンジャ装置本体２内でディスク情報管理を行うディスク情報管理部の各機能を実行する各部を示す機能ブロック図であり、このディスク情報管理部３０は制御部３１、ディスク有無記憶部３２、ディスク種別記憶部３３、ＴＯＣ情報記憶部３４、ＣＤ−ＴＥＸＴ情報記憶部３５、表示情報種別記憶部３６、情報消去条件記憶部３７よりなり、これらの各部は、上記ＣＰＵ２１、ＲＯＭ２２及びＲＡＭ２３によって構成され、各部の機能はソフトウェアプログラムにより実行される。
【００３２】
制御部３１は受信機２６からのディスク有無情報、操作・表示部３からの操作信号及びＣＤ再生部２５からのディスク情報を受けて他の各部を制御し、ディスク有無記憶部３２は受信機２６からのマガジン１の各スロットのディスク有無情報に基づいて、マガジンの各スロットのディスクの有無を記憶し、ディスク種別記憶部３３、ＴＯＣ情報記憶部３４はＣＤ再生部２５により読み出したマガジン１の各スロットのディスクのディスク種別、ＴＯＣ情報を記憶する。さらに、ＣＤ−ＴＥＸＴ情報記憶部３５はディスクがＣＤ−ＴＥＸＴである場合に、ＣＤ再生部２５により読み出したマガジン１の各スロットのディスクのディスクタイトル等のＣＤ−ＴＥＸＴ情報を記憶する。一方、情報表示種別記憶部３６はユーザにより設定された、操作・表示部３の表示器に表示するディスク情報の種類を記憶し、情報消去条件記憶部３７はユーザにより設定されたディスク情報の消去条件を記憶する。
【００３３】
上記のＣＤチェンジャ装置において、マガジン１にディスクをセットすると、センサ１２からの信号によりマガジン１のＣＰＵ１３がマガジン１の各スロットのディスクの有無を判別し、この有無情報を送信機１４からＣＤチェンジャ装置本体２の受信機２６に送信する。これにより、ディスク情報管理部３０の制御部３１が受信機２６からの信号に基づいてマガジン１の各スロットのディスクの有無情報をディスク有無記憶部３２に記憶する。次に、ディスクをセットしたマガジン１をＣＤチェンジャ装置本体２に差し込むと、ＣＤ交換部２４がマガジン１内のすべてのディスクを順にＣＤ再生部２５にセットし、制御部３１はＣＤ再生部２５の読取り情報に基づいて、各ディスクのディスク種別、ＴＯＣ情報及びディスクがＣＤ−ＴＥＸＴである場合には、ディスクタイトル等のＣＤ−ＴＥＸＴ情報を、ディスク種別記憶部３３、ＴＯＣ情報記憶部３４、ＣＤ−ＴＥＸＴ情報記憶部３５にそれぞれ記憶する。これにより、マガジン内のディスクの再生が可能な状態となり、ユーザが操作・表示部３の操作部の操作により、再生を所望するディスクの選択操作を行うと、ＣＰＵ２１の制御により、ＣＤ交換部２４が所望ディスクをマガジン１から取り出してＣＤ再生部２５にセットし、ＣＤ再生部２５によりそのＣＤが再生される。
【００３４】
一方、マガジン１内のディスクを交換する場合には、ＣＤチェンジャ装置本体２のイジェクトボタン（図示せず）を押すと、蓋が開き、マガジン１が自動的に押し出される。このマガジン１を取り出した後、マガジン１の所望のスロット１１からトレー１５を引き出し、そのトレー１５の上に載せられたディスク４を取り外し、他のディスクを載せた後、ディスクを載せたトレー１５をマガジン１に戻す作業を繰り返すことにより、ディスクの交換を行うことができる。
【００３５】
次に、ディスク情報の表示設定および消去条件設定を行う場合の作用について、図５の機能ブロック図及び図６のフローチャートを用いて説明する。
まず、操作・表示部３の表示器に選択メニューを表示し、ディスク情報表示設定を選択すると、図６のフローチャートに示すように、制御部３１は操作・表示部３の表示器に図７に示す表示設定画面を表示する（ステップ１０１）。図７に示すように、この表示設定画面には、「ｆ１：ディスク情報表示」、と「ｆ２：ディスク情報非表示」が表示され、ユーザは操作・表示部３のファンクションキーｆ１、ｆ２のいずれかを押すことにより、ディスク情報の表示／非表示を選択することができる。
【００３６】
表示設定画面を表示した後、制御部３１はファンクションキーｆ１、ｆ２のいずれが押されたかを判別する（ステップ１０２）。ファンクションキーｆ１が押された場合には、ディスク情報の表示と判断し、操作・表示部３の表示器に図８に示すディスク情報の選択画面を表示する（ステップ１０３）。この選択画面には、図８に示すように、「ｆ１：ディスク有無情報」、「ｆ２：ディスク種別情報」、「ｆ３：ＴＯＣ情報」、「ｆ４：ＣＤ−ＴＥＸＴ情報」及び「ｆ５：セット」が表示されており、ユーザは操作・表示部３のファンクションキーｆ１からｆ４のいずれかあるいは複数個を押すことにより、表示させたい情報を選択することができ、情報を選択した後、ファンクションキー５を押すことにより表示すべき情報を決定することができる。
【００３７】
上記の選択画面を表示した後、制御部３１はファンクションキーｆ１〜ｆ４のいずれかが押されたか否かを判別する（ステップ１０４）。そして、ファンクションキーｆ１〜ｆ４のいずれかが押されると、制御部３１はそのファンクションキーに該当するディスク情報の種別を表示情報種別記憶手段３６に記憶した（ステップ１０５）後、ステップ１０４に戻る。一方、ステップ１０４において、ファンクションキーｆ１〜ｆ４のいずれも押されていないと判断した場合には、制御部３１はファンクションキーｆ５が押されたか否かを判別する（ステップ１０６）。ファンクションキーｆ５が押されていない場合には、再びステップ１０４に戻り、ファンクションキーｆ５が押された場合には、ディスク情報表示設定プログラムを終了する。
一方、ステップ１０２において、ファンクションキーｆ２が押された場合には、制御部３１は表示情報種別記憶手段３６に記憶されている内容をクリアした（ステップ１０７）後、ディスク情報表示設定プログラムを終了する。
【００３８】
上記のディスク情報表示設定において、ユーザがディスク情報の表示を設定した場合には、マガジン１をＣＤチェンジャ装置本体２に装填し、上記のようにしてマガジン１に収納されたディスクの情報が読み取られると、操作・表示部３の表示器に選択したディスク情報種別の情報が表示される。例えば、ユーザがディスク有無情報とディスク種別を選択した場合には、操作・表示部３の表示器に、図９に示すように、ディスクの存在するスロットＮｏ．が明るく表示されるとともに、そのスロット内のディスクの種別がＭｕ（音楽）、ＣＤ（ＣＤ−ＲＯＭ）等により表示される。
【００３９】
このように、ユーザがディスク情報の表示部への表示の可否を選択できるので、表示が不要な場合には、通常の表示状態を維持することができ、また、ディスク情報表示に設定すれば、マガジンを抜き取った場合に、マガジンの各スロットに収納されているディスクのディスク情報を確認することができ、抜き取ったマガジン内のディスクを交換する場合、所望のディスクがどのスロットに入っているかを容易に知ることができる。
さらに、表示部の表示内容をディスク有無情報、ディスク種別情報、ＴＥＸＴ情報等からユーザが選択でき、マガジン内のディスクの有無情報を表示すれば、取り出したマガジン内のディスクの交換時にディスクを挿入することができる空きスロットを容易に把握することができ、各ディスクの種別を表示すれば、取り出したマガジン内のディスクが音楽ＣＤかＣＤ−ＲＯＭであるかが判り、交換するディスクの検索に使用することができ、ディスクの交換が容易となる。
【００４０】
一方、ディスク情報の消去条件も、上記と同様にして、操作・表示部３により設定する。すなわち、操作・表示部３の表示器に選択メニューを表示させ、ディスク情報消去設定を選択すると、制御部３１が操作・表示部３の表示器に図１０に示すディスク情報消去設定画面を表示する。この表示画面には、「ｆ１：排出と同時消去」、「ｆ２：一定時間後消去」、「ｆ３：ディスク抜取で消去」の３つのディスク情報消去条件が表示されており、ユーザがファンクションキーｆ１〜ｆ３のいずれかを押すことにより、消去条件を設定することができ、ファンクションキーｆ１〜ｆ３のいずれかが押されると、制御部３１は押されたファンクションキーに該当する消去条件を情報消去条件記憶部３７に記憶する。
【００４１】
次に、上記のようにして、ディスク情報の表示設定、情報消去条件が設定された後、マガジン１をＣＤチェンジャ装置本体２から取り出す時の作用を図５の機能ブロック図及び図１１のフローチャートを用いて説明する。
ＣＤチェンジャ装置本体２のイジェクトボタンが押されると、制御部３１は図１１のフローチャートに示すように、マガジン排出機構（図示せず）からの信号に基づいて、マガジンの排出が完了したか否かを判別する（ステップ２０１）。マガジンの排出が完了すると、制御部３１は情報消去条件記憶部３７に記憶されている情報から情報消去条件が「排出と同時消去」か否かを判別する（ステップ２０２）。ユーザがマガジンの排出と同時の情報消去を設定している場合には、制御部３１はディスク種別記憶部３３、ＴＯＣ情報記憶部３４、ＣＤ−ＴＥＸＴ情報記憶部３５にそれぞれ記憶されているすべてのディスク情報を消去する（ステップ２０３）。
【００４２】
また、「排出と同時消去」の設定でない場合には、制御部３１は、情報消去条件記憶部３７に記憶されている情報から情報消去条件が「ディスク抜取で消去」か否かを判別する（ステップ２０４）。ユーザが「一定時間後消去」を設定している場合には、制御部３１はタイマ（図示せず）によりマガジン排出後から所定時間が経過したことを判別すると、ディスク種別記憶部３３、ＴＯＣ情報記憶部３４、ＣＤ−ＴＥＸＴ情報記憶部３５にそれぞれ記憶されているすべてのディスク情報を消去する（ステップ２０５）。
【００４３】
一方、ユーザが情報消去条件を「ディスク抜取で消去」に設定している場合には、制御部３１は受信機２６からのディスク有無情報からディスクが抜き取られたか否かを判別する（ステップ２０６）。受信機２６からのディスク有無情報によりいずれかのスロットからトレーが抜き取られたと判断すると、制御部３１はディスク有無記憶部３２の該当するスロットの情報をディスク無に変更するとともに、ディスク種別記憶部３３、ＴＯＣ情報記憶部３４、ＣＤ−ＴＥＸＴ情報記憶部３５にそれぞれ記憶されている該当するスロットのディスク情報を消去する（ステップ２０７）。
【００４４】
次に、制御部３１はマガジン１が再装填されたか否かを判別する（ステップ２０８）。マガジン１が再装填されていないと判断した場合には、制御部３１はステップ２０６に戻り、マガジン１が再装填されたと判断した場合には、ディスク情報消去のプログラムを終了する。また、ステップ２０６でディスクの抜き取りがないと判断した場合には、ステップ２０８に移行する。したがって、ディスク抜き取りによるディスク情報の消去が選択され、マガジン排出後、ディスクが抜き取られずにマガジンがＣＤチェンジャ装置本体に再装填された場合には、ディスク情報が消去されずにそのまま残っているので、マガジンの再装填と同時に再生が可能となる。
【００４５】
このように、ディスク情報の消去方法を選択することができるので、ユーザの使用態様に応じて、排出したマガジンのディスク情報の消去方法を選択することができ、最適な消去方法を選択することができる。例えば、排出完了と同時の消去を選択すれば、自動的に全情報を消去することができ、マガジン排出から一定時間後の消去を選択すれば、一定時間はディスク情報が保存されているため、ディスク情報を表示させておけば、ＣＤ交換時に各種のディスク情報を参照することができるので、ＣＤ交換が容易になる。
また、ディスク抜き取りによる消去を選択した場合には、上記のように、マガジンから引き抜いていないディスクのＴＯＣ情報、ＣＤ−ＴＥＸＴ情報が残されているので、同じマガジンあるいは一部のディスクを交換したマガジンを再装填した場合、交換したディスクのみのディスク情報を読み取ればよいので、ディスク情報の読取り時間を短縮あるいはなくすことができ、再生開始までの時間を短くすることができる。
【００４６】
なお、上記の実施の形態では、光ファイバーと光学的センサによりディスクの有無を検知したが、トレーにディスクの載置により移動する検出ピンを設け、この検出ピンの位置を光学的に検出したり、接触式のセンサで検出することも可能である。
また、上記の実施の形態では、ファンクションキーを用いて各種の設定を行ったが、タッチパネルを用いて表示画面の押圧を検知することにより、各種の設定を行うようにしてもよい。
【００４７】
【発明の効果】
以上詳述したように、本発明に係るマガジン式記録媒体チェンジャ装置によれば、マガジン排出後も取り出されたマガジンの各スロットの記録媒体有無情報、記録媒体種別情報、ＴＯＣ情報あるいは記録媒体−ＴＥＸＴ情報が記憶されているので、取り出したマガジン内の記録媒体交換時に記録媒体を挿入することができる空きスロットの把握が容易になるとともに、取り出したマガジン内のディスクが音楽記録媒体か記録媒体−ＲＯＭであるかが判り、交換する記録媒体の検索に使用することができ、ディスクの交換が容易となる。また、チェンジャ装置本体から取り出したマガジンと同じマガジンあるいは一部の記録媒体を交換したマガジンを再挿入した場合、ディスクＩＤ等の情報で同じ記録媒体か否かの判別を行い、新たな記録媒体のみのディスク情報を読み取ればよいので、ＴＯＣ情報等の読取り時間を短縮することができ、再生開始までの時間を短くすることができる。
【００４８】
また、マガジン内の各記録媒体の有無を検知するセンサからの記録媒体有無情報に基づいて、マガジン排出後、記録媒体が抜き取られた時点で、その記録媒体のディスク情報を消去すれば、同じマガジンあるいは一部の記録媒体を交換したマガジンを記録媒体チェンジャ装置本体に再装填した場合、ディスク情報のない記録媒体のみのディスク情報を読み取ればよいので、ディスク情報の読取り時間を短縮あるいはなくすことができ、再生開始までの時間を短くすることができる。さらに、マガジン排出から一定時間後にそのマガジン内の各記録媒体のディスク情報を消去すれば、一定時間はディスク情報が保存されているため、記録媒体交換時に各種のディスク情報を参照することができるので、記録媒体交換が容易になるとともに、不要となったディスク情報が自動的に削除されるので、メモリを有効活用することができ、ディスク情報のマガジン排出後の消去条件を設定できるようにすれば、ユーザの使用態様に応じて、抜き取ったマガジン内の記録媒体のディスク情報の消去条件を選択することができ、最適な消去方法を選択することができる。
【００４９】
また、マガジン内の各記録媒体のディスク情報を表示部に表示すれば、抜き取ったマガジンのディスク情報を確認することができ、記録媒体チェンジャ装置本体から抜き取ったマガジン内の記録媒体を交換する場合、マガジンの各スロットにどのようなディスクが入っているかを容易に知ることができる。さらに、記録媒体のディスク情報の表示部への表示の可否を設定できるようにすれば、表示が不要な場合には、通常の表示状態を維持することができ、表示部に表示するディスク情報の種別を設定できるようにすれば、表示部の表示内容をディスク有無情報、ディスク種別情報、ＴＥＸＴ情報等から選択でき、目的に応じて、最適なディスク検索を行うことができる。
【００５０】
一方、本発明にかかるマガジンによれば、マガジンと記録媒体チェンジャ装置本体とをリード線等で接続することなしに、マガジン内の各記録媒体の抜き取り／挿入情報を記録媒体チェンジャ装置本体に送信することができ、記録媒体チェンジャ装置本体内に保存している各記録媒体のディスク情報を記録媒体の有無状態に応じて保存または消去することができる。
【図面の簡単な説明】
【図１】本発明のマガジン式ＣＤチェンジャ装置の全体構成を示す概略図である。
【図２】マガジンの構成を示すブロック図である。
【図３】マガジンのトレー及びディスクの有無検出手段を示す図である。
【図４】ＣＤチェンジャ装置本体の構成を示すブロック図である。
【図５】ＣＤチェンジャ装置本体のディスク情報管理機能を実行する各部を示す機能ブロック図である。
【図６】ディスク情報の表示設定を行う場合の作用を示すフローチャートである。
【図７】表示設定画面の一例を示す図である。
【図８】表示するディスク情報の選択画面の一例を示す図である。
【図９】ディスク有無情報とディスク種別を表示する設定を行った場合の表示の一例を示す図である。
【図１０】ディスク情報消去設定画面の一例を示す図である。
【図１１】マガジンを取り出す場合の作用を示すフローチャートである。
【符号の説明】
１  マガジン
２  ＣＤチェンジャ装置本体
３  操作・表示部
４  ディスク
１１  スロット
１２  光学的センサ
１３  ＣＰＵ
１４  無線送信機
１５  トレー
１６  光ファイバー
２１  ＣＰＵ
２２  ＲＯＭ
２３  ＲＡＭ
２４  ＣＤ交換部
２５  ＣＤ再生部
２６  無線受信機
３０  ディスク情報管理部
３１  制御部
３２  ディスク有無記憶部
３３  ディスク種別記憶部
３４  ＴＯＣ情報記憶部
３５  ＣＤ−ＴＥＸＴ情報記憶部
３６  表示情報種別記憶部
３７  情報消去条件記憶部
【図１】
2005032355.tif 000003
【図２】
2005032355.tif 000004
【図３】
2005032355.tif 000005
【図４】
2005032355.tif 000006
【図５】
2005032355.tif 000007
【図６】
2005032355.tif 000008
【図７】
2005032355.tif 000009
【図８】
2005032355.tif 000010
【図９】
2005032355.tif 000011
【図１０】
2005032355.tif 000012
【図１１】
2005032355.tif 000013